(57)【要約】  【課題】マイク付きイヤホンとマイク無しイヤホンとをどちらも使うことができる携帯電話を提供する。  【解決手段】内蔵マイク１８と、イヤホンジャック１３と、イヤホンジャックに接続して使用するイヤホンを外部マイク付きとするかマイク無しとするかの設定を受付ける設定受付け部１１と、受付けられた設定を保持する設定保持部１２と、イヤホンが接続されているか否かを検知するイヤホン検知部１４と、イヤホンが接続されていないと検知された第１の場合及びイヤホンが接続されていると検知されかつイヤホンをマイク無しとする設定が保持されている第２の場合には内蔵マイクを有効かつ外部マイクを無効にし、イヤホンが接続されていると検知されかつイヤホンを外部マイク付きとする設定が保持されている第３の場合には内蔵マイクを無効かつ外部マイクを有効にするマイク／スピーカ制御部１９とを備える。  【選択図】  図１
2005109845.tif 000002
【特許請求の範囲】
【請求項１】
内蔵マイクと、
イヤホンを接続することができるイヤホンジャックと、
イヤホンジャックに接続して使用するイヤホンを、外部マイク付きとするかマイク無しとするかの設定を、利用者から受付ける受付け手段と、
受付け手段により受付けられた設定を保持する保持手段と、
イヤホンジャックにイヤホンが接続されているか否かを検知する検知手段と、
検知手段によりイヤホンジャックにイヤホンが接続されていないと検知された第１の場合、及び、検知手段によりイヤホンジャックにイヤホンが接続されていると検知され、かつ、保持手段によりイヤホンをマイク無しとする設定が保持されている第２の場合には、内蔵マイクを有効、かつ、外部マイクを無効にし、
検知手段によりイヤホンジャックにイヤホンが接続されていると検知され、かつ、保持手段によりイヤホンを外部マイク付きとする設定が保持されている第３の場合には、内蔵マイクを無効、かつ、外部マイクを有効にする制御手段と
を備えることを特徴とする携帯電話。
【請求項２】
前記携帯電話は、さらに、
内蔵スピーカと、
利用者の指示を受けて通話機能を実行する通話手段と、
通話機能が実行されていないときに、音声を再生する再生手段とを備え、
前記制御手段は、
前記第１の場合において、前記通話機能の実行中には、内蔵スピーカを有効、かつ、イヤホンを無効、かつ、内蔵マイクを有効、かつ、外部マイクを無効にし、前記音声の再生中には、内蔵スピーカを有効、かつ、イヤホンを無効、かつ、内蔵マイクを無効、かつ、外部マイクを無効にし、
前記第２の場合において、前記通話機能の実行中には、内蔵スピーカを無効、かつ、イヤホンを有効、かつ、内蔵マイクを有効、かつ、外部マイクを無効にし、前記音声の再生中には、内蔵スピーカを無効、かつ、イヤホンを有効、かつ、内蔵マイクを無効、かつ、外部マイクを無効にし、
前記第３の場合において、前記通話機能の実行中には、内蔵スピーカを無効、かつ、イヤホンを有効、かつ、内蔵マイクを無効、かつ、外部マイクを有効にし、放送番組の再生中には、内蔵スピーカを無効、かつ、イヤホンを有効、かつ、内蔵マイクを無効、かつ、外部マイクを無効にすること
を特徴とする請求項１に記載の携帯電話。
【請求項３】
内蔵マイクと、
外部マイク付き、及び、マイク無しのどちらのイヤホンでも接続することができるイヤホンジャックと、
イヤホンジャックにイヤホンが接続されているときに、内蔵マイクを有効にするか無効にするか、及び、イヤホンジャック経由で外部マイクを有効にするか無効にするかを示すマイク制御情報を出力する出力手段と、
イヤホンジャックにイヤホンが接続されているか否かを検知する検知手段と、
検知手段によりイヤホンジャックにイヤホンが接続されていないと検知された場合には、内蔵マイクを有効、かつ、外部マイクを無効にし、
検知手段によりイヤホンジャックにイヤホンが接続されていないと検知された場合には、出力手段により出力されるマイク制御情報に従って、内蔵マイク、及び、外部マイクを、それぞれを有効又は無効にする制御手段と
を備えることを特徴とする携帯電話。
【請求項４】
前記出力手段は、
内蔵マイク、及び、外部マイクを、それぞれを有効にするか無効にするかに関する複数の設定の一覧を、利用者に提示する一覧提示手段と、
提示された複数の設定の中から利用者により選択される１つの設定を受付ける受付け手段と、
受付け手段により受付けられた設定を保持し、前記制御手段へ前記マイク制御情報として出力する保持手段とを含み、
前記複数の設定は、内蔵マイクを有効かつ外部マイクを無効とする設定、及び、内蔵マイクを無効かつ外部マイクを有効とする設定を含むこと
を特徴とする請求項３に記載の携帯電話。
【請求項５】
前記複数の設定は、さらに、
内蔵マイクを有効かつ外部マイクを有効とする設定を含むこと
を特徴とする請求項４に記載の携帯電話。
【請求項６】
前記複数の設定は、さらに、
外部マイクの有無を、着信及び発信時における利用者の操作、又は、本体の伸縮状態に基づいて判断して、内蔵マイク、及び、外部マイクのうちのいずれを有効とするかを決定する設定を含むこと
を特徴とする請求項４及び５のいずれか１項に記載の携帯電話。
【請求項７】
前記外部マイク付きイヤホンには、さらに、外部通話開始ボタンが付いており、
前記携帯電話は、さらに、
利用者による本体に対する通話開始操作に起因して、通話機能を起動する第１起動手段と、
利用者による前記外部通話開始ボタンの押下に起因して、通話機能を起動する第２起動手段とを備え、
前記出力手段は、
第１起動手段により通話機能が起動された場合に、内蔵マイクを有効かつ外部マイクを無効とするマイク制御情報を出力し、
第２起動手段により通話機能が起動された場合に、内蔵マイクを無効かつ外部マイクを有効とするマイク制御情報を出力すること
を特徴とする請求項３に記載の携帯電話。
【請求項８】
当該携帯電話は、伸縮式であり、伸張状態、及び、短縮状態があり、
前記出力手段は、
通話時において、伸張状態のときに、内蔵マイクを有効かつ外部マイクを無効とするマイク制御情報を出力し、
通話時において、短縮状態のときに、内蔵マイクを無効かつ外部マイクを有効とするマイク制御情報を出力すること
を特徴とする請求項３に記載の携帯電話。
【請求項９】
内蔵マイクと、イヤホンを接続することができるイヤホンジャックとを備える携帯電話において、
イヤホンジャックに接続して使用するイヤホンを、外部マイク付きとするかマイク無しとするかの設定を、利用者から受付ける受付けステップと、
受付けステップにより受付けられた設定を保持する保持ステップと、
イヤホンジャックにイヤホンが接続されているか否かを検知する検知ステップと、
検知ステップによりイヤホンジャックにイヤホンが接続されていないと検知された第１の場合、及び、検知ステップによりイヤホンジャックにイヤホンが接続されていると検知され、かつ、保持ステップによりイヤホンをマイク無しとする設定が保持された第２の場合には、内蔵マイクを有効、かつ、外部マイクを無効にし、
検知ステップによりヤホンジャックにイヤホンが接続されていると検知され、かつ、保持ステップによりイヤホンを外部マイク付きとする設定が保持された第３の場合には、内蔵マイクを無効、かつ、外部マイクを有効にする制御ステップと
を含むことを特徴とするマイク制御方法。
【請求項１０】
内蔵マイクと、外部マイク付き、及び、マイク無しのどちらのイヤホンでも接続することができるイヤホンジャックとを備える携帯電話において、
イヤホンジャックにイヤホンが接続されているときに、内蔵マイクを有効にするか無効にするか、及び、イヤホンジャック経由で外部マイクを有効にするか無効にするかを示すマイク制御情報を出力する出力ステップと、
イヤホンジャックにイヤホンが接続されているか否かを検知する検知ステップと、
検知ステップによりイヤホンジャックにイヤホンが接続されていないと検知された場合には、内蔵マイクを有効、かつ、外部マイクを無効にし、
検知ステップによりイヤホンジャックにイヤホンが接続されていないと検知された場合には、出力ステップにより出力されるマイク制御情報に従って、内蔵マイク、及び、外部マイクを、それぞれを有効又は無効にする制御ステップと
を含むことを特徴とするマイク制御方法。
【発明の詳細な説明】
【技術分野】
【０００１】
本発明は、携帯電話に関し、特に、内蔵マイクとイヤホンマイクとを有効にするか無効にするかを制御する技術に関する。
【背景技術】
【０００２】
近年、携帯電話の普及はめざましく、通話機能以外の機能を備える機種が続々と登場している。
ここで通話機能以外の機能とは、例えば、デジカメ、インターネット接続、音楽再生、ラジオ、及び、テレビ等である。
一方、多くの携帯電話は、マイク付きイヤホンを接続するためのイヤホンジャックを標準装備しており、ハンズフリー通話が可能である。
【０００３】
従来の携帯電話に装備されたイヤホンジャックはハンズフリー通話専用なので、従来の携帯電話は、イヤホンジャックにイヤホンが差し込まれていない場合に、内蔵マイクと内蔵スピーカとを有効にし、イヤホンジャックにイヤホンが差し込まれた場合に、内蔵マイクと内蔵スピーカとを無効にし、かつ、イヤホンジャック経由でイヤホンに付いているマイクとイヤホンとを有効にする。
【０００４】
ここで、携帯型の音楽再生機器の機能を携帯電話で実現した携帯電話機が特許文献１に公開されている。
また、携帯電話とラジオとを一体化して装置容積を小さくすると共に、同一の音声端末器を片耳に装着し兼用することでハンズフリーを実現したラジオ兼用携帯電話機が特許文献２に公開されている。
【特許文献１】特許公開２００２−１０１１６４
【特許文献２】特許公開平９−８４１３９
【発明の開示】
【発明が解決しようとする課題】
【０００５】
音楽再生、ラジオ、及び、テレビ等の通話以外の音声再生機能が付いた携帯電話においては、ハンズフリー通話用のイヤホンジャックと音楽や放送番組等を聞く為のイヤホンジャックとは、小型化、軽量化、及び、コスト等の面からみて有利であるので、別々に装備はされず兼用される。
また、通話以外の音声再生機能が付いた携帯電話において、ハンズフリー通話は特に必要とせず音声再生機能の為にのみイヤホンを使いたいと欲する利用者は相当多いものと予測され、また利用者は音声再生機能を快適に利用する為に自分好みの市販のステレオイヤホンやステレオヘッドホンを使いたいと欲すると思われる。
【０００６】
従って、通話以外の音声再生機能が付いた携帯電話において、従来の携帯電話のようなマイク付きイヤホン専用のマイク制御を行うと不都合が生じるので、新たなマイク制御を行う必要がある。
実際にＦＭラジオ付き携帯電話機を発売する際にはマイク無しのステレオイヤホンを同梱する可能性があり、仮に従来の携帯電話機と同様のマイク制御を行なった場合、同梱されているステレオイヤホンをイヤホンジャックに接続したまま通話しようとしただけで、内蔵マイクは無効となりイヤホンにはマイクが付いていないので有効なマイクが無くなり、通話ができない状態になってしまい大問題である。
【０００７】
そこで、本発明は、マイク付きイヤホンとマイク無しイヤホンとをどちらも使うことができる携帯電話、及び、マイク制御方法を提供することを目的とする。
【課題を解決するための手段】
【０００８】
上記目的を達成するために、本発明に係る携帯電話は、内蔵マイクと、イヤホンを接続することができるイヤホンジャックと、イヤホンジャックに接続して使用するイヤホンを外部マイク付きとするかマイク無しとするかの設定を利用者から受付ける受付け手段と、受付け手段により受付けられた設定を保持する保持手段と、イヤホンジャックにイヤホンが接続されているか否かを検知する検知手段と、検知手段によりイヤホンジャックにイヤホンが接続されていないと検知された第１の場合及び検知手段によりイヤホンジャックにイヤホンが接続されていると検知されかつ保持手段によりイヤホンをマイク無しとする設定が保持されている第２の場合には内蔵マイクを有効かつ外部マイクを無効にし、検知手段によりイヤホンジャックにイヤホンが接続されていると検知されかつ保持手段によりイヤホンを外部マイク付きとする設定が保持されている第３の場合には内蔵マイクを無効かつ外部マイクを有効にする制御手段とを備えることを特徴とする。
【０００９】
上記目的を達成するために、本発明に係るマイク制御方法は、内蔵マイクとイヤホンを接続することができるイヤホンジャックとを備える携帯電話において、イヤホンジャックに接続して使用するイヤホンを外部マイク付きとするかマイク無しとするかの設定を利用者から受付ける受付けステップと、受付けステップにより受付けられた設定を保持する保持ステップと、イヤホンジャックにイヤホンが接続されているか否かを検知する検知ステップと、検知ステップによりイヤホンジャックにイヤホンが接続されていないと検知された第１の場合及び検知ステップによりイヤホンジャックにイヤホンが接続されていると検知されかつ保持ステップによりイヤホンをマイク無しとする設定が保持された第２の場合には内蔵マイクを有効かつ外部マイクを無効にし、検知ステップによりヤホンジャックにイヤホンが接続されていると検知されかつ保持ステップによりイヤホンを外部マイク付きとする設定が保持された第３の場合には内蔵マイクを無効かつ外部マイクを有効にする制御ステップとを含むことを特徴とする。
【発明の効果】
【００１０】
課題を解決するための手段に記載した構成により、イヤホンを外部マイク付きとするかマイク無しとするかの設定を利用者から受付けて保持し、これに応じてマイク制御を行うことができるので、マイク付きイヤホンとマイク無しイヤホンとをどちらも使うことができる。
また、前記携帯電話は、さらに、内蔵スピーカと、利用者の指示を受けて通話機能を実行する通話手段と、通話機能が実行されていないときに音声を再生する再生手段とを備え、前記制御手段は、前記第１の場合において、前記通話機能の実行中には内蔵スピーカを有効かつイヤホンを無効かつ内蔵マイクを有効かつ外部マイクを無効にし、前記音声の再生中には内蔵スピーカを有効かつイヤホンを無効かつ内蔵マイクを無効かつ外部マイクを無効にし、前記第２の場合において、前記通話機能の実行中には内蔵スピーカを無効かつイヤホンを有効かつ内蔵マイクを有効かつ外部マイクを無効にし、前記音声の再生中には内蔵スピーカを無効かつイヤホンを有効かつ内蔵マイクを無効かつ外部マイクを無効にし、前記第３の場合において、前記通話機能の実行中には内蔵スピーカを無効かつイヤホンを有効かつ内蔵マイクを無効かつ外部マイクを有効にし、放送番組の再生中には内蔵スピーカを無効かつイヤホンを有効かつ内蔵マイクを無効かつ外部マイクを無効にすることを特徴とすることもできる。
【００１１】
これによって、通話及び音声再生のそれぞれの場合別に、利用者の設定に応じてマイク制御とスピーカ制御とを行うことができるので、音楽再生、ラジオ、及び、テレビ等の通話以外の音声再生機能が付いた携帯電話において、マイク付きイヤホンとマイク無しイヤホンとをどちらも使うことができる。
上記目的を達成するために、本発明に係る携帯電話は、内蔵マイクと、外部マイク付き及びマイク無しのどちらのイヤホンでも接続することができるイヤホンジャックと、イヤホンジャックにイヤホンが接続されているときに内蔵マイクを有効にするか無効にするか及びイヤホンジャック経由で外部マイクを有効にするか無効にするかを示すマイク制御情報を出力する出力手段と、イヤホンジャックにイヤホンが接続されているか否かを検知する検知手段と、検知手段によりイヤホンジャックにイヤホンが接続されていないと検知された場合には内蔵マイクを有効かつ外部マイクを無効にし、検知手段によりイヤホンジャックにイヤホンが接続されていないと検知された場合に、出力手段により出力されるマイク制御情報に従って内蔵マイク及び外部マイクをそれぞれを有効又は無効にする制御手段とを備えることを特徴とする。
【００１２】
上記目的を達成するために、本発明に係るマイク制御方法は、内蔵マイクと、外部マイク付き及びマイク無しのどちらのイヤホンでも接続することができるイヤホンジャックとを備える携帯電話において、イヤホンジャックにイヤホンが接続されているときに内蔵マイクを有効にするか無効にするか及びイヤホンジャック経由で外部マイクを有効にするか無効にするかを示すマイク制御情報を出力する出力ステップと、イヤホンジャックにイヤホンが接続されているか否かを検知する検知ステップと、検知ステップによりイヤホンジャックにイヤホンが接続されていないと検知された場合には内蔵マイクを有効かつ外部マイクを無効にし、検知ステップによりイヤホンジャックにイヤホンが接続されていないと検知された場合には出力ステップにより出力されるマイク制御情報に従って内蔵マイク及び外部マイクをそれぞれを有効又は無効にする制御ステップとを含むことを特徴とする。
【００１３】
これによって、イヤホンが接続されている場合には、マイク制御情報に従って
内蔵マイク及び外部マイクをそれぞれ有効にするか無効にするかを制御することができるので、マイク付きイヤホンとマイク無しイヤホンとをどちらも使うことができる。
また、携帯電話において、前記出力手段は、内蔵マイク及び外部マイクをそれぞれを有効にするか無効にするかに関する複数の設定の一覧を利用者に提示する一覧提示手段と、提示された複数の設定の中から利用者により選択される１つの設定を受付ける受付け手段と、受付け手段により受付けられた設定を保持し前記制御手段へ前記マイク制御情報として出力する保持手段とを含み、前記複数の設定は内蔵マイクを有効かつ外部マイクを無効とする設定及び内蔵マイクを無効かつ外部マイクを有効とする設定を含むことを特徴とすることもできる。
【００１４】
これによって、内蔵マイクを有効かつ外部マイクを無効とする設定、及び、内蔵マイクを無効かつ外部マイクを有効とする設定を利用者に提示し、利用者は提示された複数の設定の中からいずれかの設定を選択することができるので、マイク付きイヤホンとマイク無しイヤホンとの設定の切り換えが容易にできる。
また、携帯電話において、前記複数の設定は、さらに、内蔵マイクを有効かつ外部マイクを有効とする設定を含むことを特徴とすることもできる。
【００１５】
これによって、利用者は内蔵マイクを有効かつ外部マイクを有効とする設定を選択することができるので、例えば製品出荷時等のマイク付きイヤホン及びマイク無しイヤホンのどちらが接続されるかわらない状況において、どちらも使える状態に設定することができる。
また、携帯電話において、前記複数の設定は、さらに、外部マイクの有無を着信及び発信時における利用者の操作又は本体の伸縮状態に基づいて判断して内蔵マイク及び外部マイクのうちのいずれを有効とするかを決定する設定を含むことを特徴とすることもできる。
【００１６】
これによって、利用者は外部マイクの有無を自動的に判断する設定を選択することができるので、マイク付きイヤホンとマイク無しイヤホンとを頻繁に付け替えるような使い方をする利用者にとって、利便性が高い。
また、携帯電話において、前記外部マイク付きイヤホンには、さらに、外部通話開始ボタンが付いており、前記携帯電話は、さらに、利用者による本体に対する通話開始操作に起因して通話機能を起動する第１起動手段と、利用者による前記外部通話開始ボタンの押下に起因して通話機能を起動する第２起動手段とを備え、前記出力手段は、第１起動手段により通話機能が起動された場合に内蔵マイクを有効かつ外部マイクを無効とするマイク制御情報を出力し、第２起動手段により通話機能が起動された場合に内蔵マイクを無効かつ外部マイクを有効とするマイク制御情報を出力することを特徴とすることもできる。
【００１７】
これによって、本体に装備されているボタンの押下や短縮状態から伸張状態への状態変更等の、本体に対する通話開始操作に起因して通話を開始した場合に内蔵マイクを有効にし、イヤホンに付いているボタンにより通話を開始した場合に外部マイクを有効にすることができるので、利用者による設定なしでマイク付きイヤホンとマイク無しイヤホンとをどちらも使うことができる。
【００１８】
また、携帯電話は伸縮式であり、伸張状態及び短縮状態があり、前記出力手段は、通話時において伸張状態のときに内蔵マイクを有効かつ外部マイクを無効とするマイク制御情報を出力し、通話時において短縮状態のときに内蔵マイクを無効かつ外部マイクを有効とするマイク制御情報を出力することを特徴とすることもできる。
これによって、伸張状態である場合に内蔵マイクを有効にし、短縮状態である場合には外部マイクを有効にすることができるので、利用者による設定なしでマイク付きイヤホンとマイク無しイヤホンとをどちらも使うことができる。
【発明を実施するための最良の形態】
【００１９】
（実施の形態１）
＜構成＞
図１は、本発明の実施の形態１における携帯電話の機能の概略を示す図である。
図１に示すように、実施の形態１の携帯電話１は、設定受付け部１１、設定保持部１２、イヤホンジャック１３、イヤホン検知部１４、電話機能部１５、ＦＭラジオ機能部１６、内蔵スピーカ１７、及び、内蔵マイク１８、及び、マイク／スピーカ制御部１９を備える。
【００２０】
設定受付け部１１は、イヤホンジャック１３に接続して使用するイヤホン２を、マイク無しとするマイク無し設定、及び、外部マイク付きとするマイク付き設定の何れかを利用者から受付ける。
設定保持部１２は、設定受付け部１１により受付けられた設定を保持する。
イヤホンジャック１３は、イヤホン２を接続するための端子であり、外部マイク付きイヤホン、及び、マイク無しイヤホンのどちらでも接続することができる。
【００２１】
イヤホン検知部１４は、イヤホンジャック１３にイヤホンが接続されているか否かを検知する。
電話機能部１５は、利用者の指示に従い通話機能を実行する。
ＦＭラジオ機能部１６は、ＦＭラジオ機能を実行するものであり、利用者の指示に従い、電話機能部１５による通話機能が実行されていないときにＦＭラジオを受信して音声を再生する。
【００２２】
内蔵スピーカ１７は、携帯電話１に内蔵されているスピーカであり、電話機能部１５及びＦＭラジオ機能部１６により再生される音声を出力する。
内蔵マイク１８は、携帯電話１に内蔵されているマイクであり、電話機能部１５による通話機能において用いられる。
マイク／スピーカ制御部１９は、イヤホン検知部１４によりイヤホンジャック１３にイヤホンが接続されていないと検知された第１の場合において、電話機能部１５による通話機能の実行中には、内蔵スピーカ１７を有効、かつ、イヤホンを無効、かつ、内蔵マイク１８を有効、かつ、外部マイクを無効にし、ＦＭラジオ機能部１６によるＦＭラジオ機能の実行中には、内蔵スピーカ１７を有効、かつ、イヤホンを無効、かつ、内蔵マイク１８を無効、かつ、外部マイクを無効にする。
【００２３】
また、マイク／スピーカ制御部１９は、イヤホン検知部１４によりイヤホンジャック１３にイヤホンが接続されていると検知され、かつ、設定保持部１２によりマイク無し設定が保持されている第２の場合において、電話機能部１５による通話機能の実行中には、内蔵スピーカ１７を無効、かつ、イヤホンを有効、かつ、内蔵マイク１８を有効、かつ、外部マイクを無効にし、ＦＭラジオ機能部１６によるＦＭラジオ機能の実行中には、内蔵スピーカ１７を無効、かつ、イヤホンを有効、かつ、内蔵マイク１８を無効、かつ、外部マイクを無効にする。
【００２４】
また、マイク／スピーカ制御部１９は、イヤホン検知部１４によりイヤホンジャック１３にイヤホンが接続されていると検知され、かつ、設定保持部１２によりマイク付き設定が保持されている第３の場合において、電話機能部１５による通話機能の実行中には、内蔵スピーカ１７を無効、かつ、イヤホンを有効、かつ、内蔵マイク１８を無効、かつ、外部マイクを有効にし、ＦＭラジオ機能部１６によるＦＭラジオ機能の実行中には、内蔵スピーカ１７を無効、かつ、イヤホンを有効、かつ、内蔵マイク１８を無効、かつ、外部マイクを無効にする。
【００２５】
図２は、本発明の実施１の形態における携帯電話１のイヤホンジャック１３に、マイクが付いていないステレオ用のイヤホン２を接続した場合の外観を示す図である。
図２に示す携帯電話１には、イヤホンジャック１３、内蔵スピーカ１７、及び、内蔵マイク１８の他、アンテナ２１、ＬＣＤ表示部２２、及び、操作部２３を示す。
＜動作＞
図３は、本発明の実施の形態１における携帯電話１のマイク及びスピーカの制御の手順を示す図である。
【００２６】
以下に、図３を用いてマイク及びスピーカの制御の手順を説明する。
（１）イヤホン検知部１４がイヤホンジャック１３にイヤホンが接続されているか否かを検知する（ステップＳ１）。
（２）イヤホンが接続されていない場合には、マイク／スピーカ制御部１９が通話機能を実行中であるか否かを判断する（ステップＳ２）。
【００２７】
（３）通話機能を実行中である場合には、マイク／スピーカ制御部１９が、内蔵スピーカ１７を有効、かつ、イヤホンを無効にし、内蔵マイク１８を有効、かつ、外部マイクを無効にする（ステップＳ３）。
（４）マイク／スピーカ制御部１９がＦＭラジオ機能を実行中であるか否かを判断する（ステップＳ４）。
【００２８】
（５）ＦＭラジオ機能を実行中である場合には、マイク／スピーカ制御部１９が、内蔵スピーカ１７を有効、かつ、イヤホンを無効、かつ、内蔵マイク１８を無効、かつ、外部マイクを無効にする（ステップＳ５）。
（６）イヤホンが接続されている場合には、マイク／スピーカ制御部１９が通話機能を実行中であるか否かを判断する（ステップＳ６）。
【００２９】
（７）通話機能を実行中である場合には、マイク／スピーカ制御部１９が、設定保持部１２によりマイク無し設定及びマイク有り設定のいずれがが保持されているかを判断する（ステップＳ７）。
（８）マイク無し設定が保持されている場合には、マイク／スピーカ制御部１９が、内蔵スピーカ１７を無効、かつ、イヤホンを有効、かつ、内蔵マイク１８を有効、かつ、外部マイクを無効にする（ステップＳ８）。
【００３０】
（９）マイク有り設定が保持されている場合には、マイク／スピーカ制御部１９が、内蔵スピーカ１７を無効、かつ、イヤホンを有効、かつ、内蔵マイク１８を無効、かつ、外部マイクを有効にする（ステップＳ９）。
（１０）マイク／スピーカ制御部１９がＦＭラジオ機能を実行中であるか否かを判断する（ステップＳ１０）。
【００３１】
（１１）ＦＭラジオ機能を実行中である場合には、マイク／スピーカ制御部１９が、内蔵スピーカ１７を無効、かつ、イヤホンを有効、かつ、内蔵マイク１８を無効、かつ、外部マイクを無効にする（ステップＳ１１）。
以上のように、本発明の実施の形態１では、イヤホンを外部マイク付きとするかマイク無しとするかの設定を利用者から受付けて保持し、これに応じてマイク制御を行うことができる。
【００３２】
従って、マイク付きイヤホンとマイク無しイヤホンとをどちらも使うことができる。
（実施の形態２）
＜構成＞
図４は、本発明の実施の形態２における携帯電話の機能の概略を示す図である。
図４に示すように、実施の形態２の携帯電話３は、内蔵通話開始ボタン３１、第１通話起動部３２、第２通話起動部３３、伸縮状態検知部３４、マイク制御情報出力部３５、イヤホンジャック１３、イヤホン検知部１４、電話機能部１５、ＦＭラジオ機能部１６、内蔵スピーカ１７、及び、内蔵マイク１８、及び、マイク／スピーカ制御部３６を備える。
【００３３】
なお、実施の形態１と同様の構成要素には同一番号を付し、その説明を省略する。
また、携帯電話３は折り畳み型やスライド型等の伸縮式であり、内蔵通話開始ボタン３１が操作可能で内蔵マイク１８が使用可能な状態である伸張状態、及び、内蔵通話開始ボタン３１が操作できず、内蔵マイク１８が使用できない状態である短縮状態があるものとする。
【００３４】
ここで、外部マイク付きイヤホンは、さらに、外部通話開始ボタンを備えるものとする。
内蔵通話開始ボタン３１は、携帯電話３本体に標準装備されるボタンである。
第１通話起動部３２は、着信時及び発信時に、利用者による内蔵通話開始ボタン３１の押下、又は、利用者による短縮状態から伸張状態への状態変更等の本体に対する通話開始操作に起因して、通話機能を起動する。
【００３５】
第２通話起動部３３は、着信時及び発信時に、利用者による外部通話開始ボタンの押下に起因して、通話機能を起動する。
伸縮状態検知部３４は、携帯電話３が伸張状態、及び、短縮状態のいずれであるかを検知する。
マイク制御情報出力部３５は、イヤホンジャック１３にイヤホンが接続され、かつ、通話機能の起動中に、内蔵マイク１８を有効にするか無効にするか、及び、イヤホンジャック経由で外部マイクを有効にするか無効にするかを示すマイク制御情報を出力する。
【００３６】
図５は、マイク制御情報出力部３５の詳細を示す図である。
図５に示すように、マイク制御情報出力部３５は、一覧提示部３７、設定受付け部３８、設定保持部３９、及び、マイク制御情報生成部４０を含む。
一覧提示部３７は、内蔵マイク１８及び外部マイクを、それぞれを有効にするか無効にするかに関する複数の設定の一覧を、利用者に提示する。
【００３７】
例えば一覧提示部３７は、内蔵マイク１８を有効かつ外部マイクを無効とする第１設定、内蔵マイク１８を無効かつ外部マイクを有効とする第２設定、内蔵マイク１８を有効かつ外部マイクを有効とする第３設定、及び、着信時及び発信時における利用者による通話開始操作や本体の伸縮状態に基づいて内蔵マイク１８及び外部マイクのうちのいずれを有効とするかを決定する第４設定を利用者に提示し、利用者の選択を促す。
【００３８】
設定受付け部３８は、一覧提示部３７により提示された一覧の中から利用者により選択される１つの設定を受付ける。
設定保持部３９は、設定受付け部３８により受付けられた設定を保持する。
マイク制御情報生成部４０は、第１設定〜第３設定の場合には、各設定に応じたマイク制御情報を生成し、第４設定の場合には、第１通話起動部３２及び第２通話起動部３３のいずれにより通話機能が起動されたかに基づいて、又は、通話機能の起動中における伸縮状態検知部３４の検知結果に基づいて、マイク制御情報を生成する。
【００３９】
ここで例えばマイク制御情報生成部４０は、第４設定の場合において、第１通話起動部３２により通話機能が起動されたのならイヤホンジャック１３に接続されたイヤホンはマイク無しであると判断して内蔵マイク１８を有効かつ外部マイクを無効とするマイク制御情報を生成し、第２通話起動部３２により通話機能が起動されたのならイヤホンジャック１３に接続されたイヤホンは外部マイク付きであると判断して内蔵マイク１８を無効かつ外部マイクを有効とするマイク制御情報を生成する。
【００４０】
また、ここで例えばマイク制御情報生成部４０は、第４設定の場合において、通話機能の起動中に伸縮状態検知部３４により、伸張状態であると検知されたならばイヤホンジャック１３に接続されたイヤホンはマイク無しであると判断して内蔵マイク１８を有効かつ外部マイクを無効とするマイク制御情報を生成し、短縮状態であると検知されたならばイヤホンジャック１３に接続されたイヤホンは外部マイク付きであると判断して内蔵マイク１８を無効かつ外部マイクを有効とするマイク制御情報を生成する。
【００４１】
マイク／スピーカ制御部３６は、イヤホン検知部１４によりイヤホンジャック１３にイヤホンが接続されていないと検知された場合において、電話機能部１５による通話機能の実行中には、内蔵スピーカ１７を有効、かつ、イヤホンを無効、かつ、内蔵マイク１８を有効、かつ、外部マイクを無効にし、ＦＭラジオ機能部１６によるＦＭラジオ機能の実行中には、内蔵スピーカ１７を有効、かつ、イヤホンを無効、かつ、内蔵マイク１８を無効、かつ、外部マイクを無効にする。
【００４２】
またマイク／スピーカ制御部３６は、イヤホン検知部１４によりイヤホンジャック１３にイヤホンが接続されていると検知された場合に、内蔵スピーカ１７を無効、かつ、イヤホンを有効にし、マイク制御情報出力部３５により出力されるマイク制御情報に従って内蔵マイク１８及び外部マイクを制御する。
＜動作１＞
図６は、本発明の実施の形態２における携帯電話１のマイク及びスピーカの制御の手順の一例を示す図である。
【００４３】
以下に、図６を用いてマイク及びスピーカの制御の手順の一例を説明する。
（１）イヤホン検知部１４がイヤホンジャック１３にイヤホンが接続されているか否かを検知する（ステップＳ２１）。
（２）イヤホンが接続されていない場合には、マイク／スピーカ制御部３６が通話機能を実行中であるか否かを判断する（ステップＳ２２）。
【００４４】
（３）通話機能を実行中である場合には、マイク／スピーカ制御部３６が、内蔵スピーカ１７を有効、かつ、イヤホンを無効にし、内蔵マイク１８を有効、かつ、外部マイクを無効にする（ステップＳ２３）。
（４）マイク／スピーカ制御部３６がＦＭラジオ機能を実行中であるか否かを判断する（ステップＳ２４）。
【００４５】
（５）ＦＭラジオ機能を実行中である場合には、マイク／スピーカ制御部３６が、内蔵スピーカ１７を有効、かつ、イヤホンを無効、かつ、内蔵マイク１８を無効、かつ、外部マイクを無効にする（ステップＳ２５）。
（６）イヤホンが接続されている場合には、マイク／スピーカ制御部３６が通話機能を実行中であるか否かを判断する（ステップＳ２６）。
【００４６】
（７）通話機能を実行中である場合には、マイク制御情報生成部４０が、設定保持部３９により保持されている設定が第１設定〜第３設定であるか第４設定であるかを判断する（ステップＳ２７）。
（８）第１設定〜第３設定である場合には、各設定に応じたマイク制御情報を生成する（ステップＳ２８）。
【００４７】
（９）第４設定である場合には、マイク制御情報生成部４０が、第１通話起動部３２及び第２通話起動部３３のいずれにより通話機能が起動されたかを判断する（ステップＳ２９）。
（１０）第１通話起動部３２により通話機能が起動された場合には、マイク制御情報生成部４０が、内蔵マイク１８を有効かつ外部マイクを無効とするマイク制御情報を生成する（ステップＳ３０）。
【００４８】
（１１）第２通話起動部３３により通話機能が起動された場合には、マイク制御情報生成部４０が、内蔵マイク１８を無効かつ外部マイクを有効とするマイク制御情報を生成する（ステップＳ３１）。
（１２）マイク／スピーカ制御部３６が、内蔵スピーカ１７を無効、かつ、イヤホンを有効にし、マイク制御情報出力部３５により出力されるマイク制御情報に従って内蔵マイク１８及び外部マイクを制御する（ステップＳ３２）。
【００４９】
（１３）マイク／スピーカ制御部３６がＦＭラジオ機能を実行中であるか否かを判断する（ステップＳ３３）。
（１４）ＦＭラジオ機能を実行中である場合には、マイク／スピーカ制御部３６が、内蔵スピーカ１７を無効、かつ、イヤホンを有効、かつ、内蔵マイク１８を無効、かつ、外部マイクを無効にする（ステップＳ３４）。
【００５０】
＜動作２＞
図７は、本発明の実施の形態２における携帯電話１のマイク及びスピーカの制御の手順の一例を示す図である。
以下に、図７を用いてマイク及びスピーカの制御の手順の一例を説明する。
なお、動作１における図６と同様のステップには同一番号を付し、その説明を省略する。
【００５１】
（１）〜（８）動作１の（１）〜（８）と同様（ステップＳ２１〜２８）。
（９）第４設定である場合には、伸縮状態検知部３４が、伸張状態及び短縮状態のいずれであるかを検知する（ステップＳ４１）。
（１０）伸張状態である場合には、マイク制御情報生成部４０が、内蔵マイク１８を有効かつ外部マイクを無効とするマイク制御情報を生成する（ステップＳ４２）。
【００５２】
（１１）短縮状態である場合には、マイク制御情報生成部４０が、内蔵マイク１８を無効かつ外部マイクを有効とするマイク制御情報を生成する（ステップＳ４３）。
（１２）〜（１４）動作１の（１２）〜（１４）と同様（ステップＳ３２〜Ｓ３４）。
＜まとめ＞
以上のように、本発明の実施の形態２では、内蔵マイクを有効にするか無効にするか、及び、イヤホンジャック経由で外部マイクを有効にするか無効にするかの設定を利用者から受付けて保持し、これに応じてマイク制御を行うことができ、また、内蔵通話開始ボタン及び外部通話開始ボタンのいずれにより通話機能が起動されたかに基づいて、又は、通話機能の起動中における本体の伸縮状態に基づいて、自動的にマイク付きイヤホンであるかマイク無しイヤホンであるかを判断し、これに応じてマイク制御を行うことができる。
【００５３】
従って、マイク付きイヤホンとマイク無しイヤホンとをどちらも使うことができる。
【産業上の利用可能性】
【００５４】
本発明は、ＦＭラジオ付き携帯電話に適用することができる。本発明によって、マイク付きイヤホンとマイク無しイヤホンとをどちらも使うことができる携帯電話が提供でき、利用者は自分好みの市販のステレオイヤホンやステレオヘッドホンを使うことが可能となる。
また、ＦＭラジオ付き携帯電話だけでなく、通話以外の音声再生機能が付いた携帯電話に適用することができ、また、イヤホンジャックを備えるあらゆる携帯電話に適用することができる。
【図面の簡単な説明】
【００５５】
【図１】図１は、本発明の実施の形態１における携帯電話の機能の概略を示す図である。
【図２】図２は、本発明の実施１の形態における携帯電話１のイヤホンジャックに、マイクが付いていないステレオ用のイヤホン２を接続した場合の外観を示す図である。
【図３】図３は、本発明の実施の形態１における携帯電話１のマイク及びスピーカの制御の手順を示す図である。
【図４】図４は、本発明の実施の形態２における携帯電話の機能の概略を示す図である。
【図５】図５は、マイク制御情報出力部３５の詳細を示す図である。
【図６】図６は、本発明の実施の形態２における携帯電話１のマイク及びスピーカの制御の手順の一例を示す図である。
【図７】図７は、本発明の実施の形態２における携帯電話１のマイク及びスピーカの制御の手順の一例を示す図である。
【符号の説明】
【００５６】
１    携帯電話
２    イヤホン
３    携帯電話
１１    設定受付け部
１２    設定保持部
１３    イヤホンジャック
１４    イヤホン検知部
１５    電話機能部
１６    ＦＭラジオ機能部
１７    内蔵スピーカ
１８    内蔵マイク
１９    マイク／スピーカ制御部
２１    アンテナ
２２    ＬＣＤ表示部
２３    操作部
３１    内蔵通話開始ボタン
３２    第１通話起動部
３３    第２通話起動部
３４    伸縮状態検知部
３５    マイク制御情報出力部
３６    マイク／スピーカ制御部
３７    一覧提示部
３８    設定受付け部
３９    設定保持部
４０    マイク制御情報生成部
【図１】
2005109845.tif 000003
【図２】
2005109845.tif 000004
【図３】
2005109845.tif 000005
【図４】
2005109845.tif 000006
【図５】
2005109845.tif 000007
【図６】
2005109845.tif 000008
【図７】
2005109845.tif 000009